(57)【要約】【課題】ロック機構付きの電気コネクタにおいて、衝撃に対する信頼性が高く、且つ高さが低いこと。【解決手段】電線４の端部４ａに設けられた第２のコネクタ５の第２のハウジング１７を、回路基板２の取付面２ａに取り付けられた第１のコネクタ３の第１のハウジング９の挿入凹部８に挿入した後、スライダ７を第１のスライド方向Ｚ１に沿ってロック位置に変位させる。これにより、第２のハウジング１７の突起５５の抜止め係合面５５ａに、スライダ７の弾性アーム１５の第１の係合突起が係合し、挿入凹部８からコネクタ抜脱方向Ｙ１への第２のハウジング１７の抜脱が防止される。【選択図】図１
2008192422.tif 000002
【特許請求の範囲】
【請求項１】
取付面上に固定される第１のコネクタと、
電線の端部に設けられた第２のコネクタとを備え、
上記第１のコネクタは、上記取付面とは直交するコネクタ抜脱方向に開放する挿入凹部を区画する第１のハウジングと、この第１のハウジングによって上記挿入凹部に保持された複数の第１のコンタクトと、第１のハウジングによって、上記取付面とは平行なスライド方向に沿ってロック位置およびロック解除位置にスライド可能に保持されたスライダとを含み、
上記第２のコネクタは、上記コネクタ抜脱方向とは反対方向であるコネクタ挿入方向に沿って上記挿入凹部に挿入される第２のハウジングと、この第２のハウジングによって保持され、第１のコンタクトに接続される第２のコンタクトとを含み、
上記スライダは、ロック位置へのスライドに伴って第２のハウジングの所定部に係合することにより、挿入凹部からコネクタ抜脱方向への第２のハウジングの抜脱を防止し、ロック解除位置へのスライドに伴って、第２のハウジングの上記所定部に対する係合を解除することにより、挿入凹部からコネクタ抜脱方向への第２のハウジングの抜脱を許容するロック部を含むことを特徴とする電気コネクタ。
【請求項２】
請求項１において、上記第１のハウジングは相対向する一対の側壁を含み、
上記スライダは、本体部と、本体部の両端から本体部に対して直交する方向に延び、上記第１のハウジングの対応する側壁に沿ってスライド可能な一対の弾性アームとを含むことを特徴とする電気コネクタ。
【請求項３】
請求項２において、上記第１のハウジングの上記所定部は、第１のハウジングの一対の側壁に設けられた突起を含み、
上記ロック部は、各弾性アームに設けられ、それぞれ対応する上記所定部としての突起に係合可能な突起を含むことを特徴とする電気コネクタ。
【請求項４】
請求項３において、上記第１のハウジングの各側壁に、対応する弾性アームのスライドを案内する案内板が設けられていることを特徴とする電気コネクタ。
【請求項５】
請求項４において、上記案内板は、弾性アームを介して第２のコネクタの抜脱荷重を受ける上案内板を含むことを特徴とする電気コネクタ。
【請求項６】
請求項５において、上記案内板は、上記上案内板に対向する下案内板を含み、上案内板と下案内板との間に、対応する弾性アームのスライドを案内する案内溝が区画されていることを特徴とする電気コネクタ。
【請求項７】
請求項５において、上記上案内板と上記取付面との間に、対応する弾性アームのスライドを案内する案内溝が区画されていることを特徴とする電気コネクタ。
【請求項８】
請求項３から７の何れか１項において、上記第１のハウジングの各側壁に、スライダをロック位置およびロック解除位置にそれぞれ規制するための突起からなる第１および第２のストッパが設けられていることを特徴とする電気コネクタ。
【請求項９】
請求項８において、上記第１および第２のストッパは、上記スライド方向と直交する方向に関してに互いに位置をずらして配置されていることを特徴とする電気コネクタ。
【請求項１０】
請求項９において、各弾性アームは、第１および第２の係合突起を含み、
上記第１の係合突起は、スライダのスライドに伴って、上記第２のストッパに係合することよりスライダを係合解除位置に規制し、
上記第２の係合突起は、スライダのスライドに伴って、上記第１のストッパに係合することによりスライダを係合位置に規制することを特徴とする電気コネクタ。
【請求項１１】
請求項１０において、上記第１の係合突起は上記ロック部を兼用していることを特徴とする電気コネクタ。
【請求項１２】
請求項３ないし１１の何れか１項において、上記ロック部は、第２のハウジングの上記所定部としての突起の、コネクタ抜脱方向に配置されていることを特徴とする電気コネクタ。
【請求項１３】
請求項１ないし１２の何れか１項において、上記スライダは、上記取付面とは平行に延びるロック部としての規制板を有し、
この規制板は、スライダのロック位置への変位に伴って、第２のハウジングの上記所定部としての上面に係合することにより、挿入凹部からの第２のハウジングの抜脱を防止することを特徴とする電気コネクタ。
【発明の詳細な説明】
【技術分野】
【０００１】
本発明は、ロック機構を有する電気コネクタに関するものである。
【背景技術】
【０００２】
電気コネクタとして、プリント配線板等の回路基板に実装される第１のコネクタと、電線の端部に設けられ、第１のコネクタに対して取り外し可能に装着される第２のコネクタとを備えた電気コネクタがある。
この種の電気コネクタとして、第２のコネクタを回路基板の取付面と直交する方向から装着する、いわゆる縦嵌合タイプ（トップエントリータイプ）がある（例えば特許文献１参照）。
【０００３】
また、第２のコネクタを回路基板と平行な方向から装着する、いわゆる横嵌合タイプ（サイドエントリータイプ）がある（例えば特許文献２，３参照）。
【特許文献１】特開２０００−１２３９１２号公報
【特許文献２】特開２００５−２６１５６号公報
【特許文献３】特開２００３−２１７７３９号公報
【発明の開示】
【発明が解決しようとする課題】
【０００４】
縦嵌合タイプの電気コネクタでは、上記取付面と直交する方向に、両コネクタを嵌合させるためのストローク量を確保する必要があるため、嵌合状態での両コネクタの高さを低くすることが困難である。すなわち、低背化が困難である。
また、通例、強ロック機構のロックアームは、両コネクタの嵌合方向に沿って延びており、コネクタのハウジングによって揺動支持されるロックアームは、その力点、支点、作用点を、この順で配置している。このため、ロックアームが、両コネクタの嵌合方向に関して長くなり、結果として、電気コネクタが大型化するという問題がある。
【０００５】
縦嵌合タイプの電気コネクタにおいて、上記のような強ロック機構のロックアームを採用した場合、電気コネクタの高さが格段に高くなってしまう。
また、縦嵌合タイプの電気コネクタにおいて、両コネクタの装着状態の保持力を、両コネクタのハウジング間の摩擦嵌合により得る場合（すなわち、フリクションロックの場合）には、第２のコネクタを第１のコネクタに装着するときに、回路基板に対する負荷が大きくなるという問題がある。また、フリクションロックでは、衝撃等を受けたときにロックが外れたり、緩んだりするおそれがあり、信頼性の点でも問題がある。
【０００６】
一方、横嵌合タイプでは、第２のコネクタを回路基板と平行にストロークさせるため、回路基板上での電気コネクタの実質的な占有面積が広くなる。
本発明の目的は、衝撃等に対する信頼性が高く、高さの低い電気コネクタを提供することである。
【課題を解決するための手段】
【０００７】
上記目的を達成するため、本発明は、取付面上に固定される第１のコネクタと、電線の端部に設けられた第２のコネクタとを備え、上記第１のコネクタは、上記取付面とは直交するコネクタ抜脱方向に開放する挿入凹部を区画する第１のハウジングと、この第１のハウジングによって上記挿入凹部に保持された複数の第１のコンタクトと、第１のハウジングによって、上記取付面とは平行なスライド方向に沿ってロック位置およびロック解除位置にスライド可能に保持されたスライダとを含み、上記第２のコネクタは、上記コネクタ抜脱方向とは反対方向であるコネクタ挿入方向に沿って上記挿入凹部に挿入される第２のハウジングと、この第２のハウジングによって保持され、第１のコンタクトに接続される第２のコンタクトとを含み、上記スライダは、ロック位置へのスライドに伴って第２のハウジングの所定部に係合することにより、挿入凹部からコネクタ抜脱方向への第２のハウジングの抜脱を防止し、ロック解除位置へのスライドに伴って、第２のハウジングの上記所定部に対する係合を解除することにより、挿入凹部からコネクタ抜脱方向への第２のハウジングの抜脱を許容するロック部を含むことを特徴とするものである。
【０００８】
本発明では、いわゆる縦嵌合であるが、フリクションロックではないので、取付面としての例えば回路基板への負荷が小さい。また、強ロックを採用しているので、衝撃等を受けてもロックが外れることがなく、信頼性が高い。また、その強ロックのためのロック部が取付面と平行な方向にスライドするスライダに設けられているので、電気コネクタの高さを低くすることができる。
【０００９】
上記第１のハウジングは相対向する一対の側壁を含み、上記スライダは、本体部と、本体部の両端から本体部に対して直交する方向に延び、上記第１のハウジングの対応する側壁に沿ってスライド可能な一対の弾性アームとを含む場合がある（請求項２）。この場合、スライダの弾性アームが第２のハウジングの側壁に配置されるので、第１のコネクタの高さを低くすることができる。
【００１０】
上記第１のハウジングの上記所定部は、第１のハウジングの一対の側壁に設けられた突起を含み、上記ロック部は、各弾性アームに設けられ、それぞれ対応する上記所定部としての突起に係合可能な突起を含む場合がある（請求項３）。この場合、各弾性アームのロック部が、第２のハウジングの対応する側壁の突起に係止され、ロックが達成される。
上記第１のハウジングの各側壁に、対応する弾性アームのスライドを案内する案内板が設けられている場合がある（請求項４）。この場合、スライダをスムーズにスライドさせることができる。
【００１１】
上記案内板は、弾性アームを介して第２のコネクタの抜脱荷重を受ける上案内板を含む場合がある（請求項５）。この場合、第１のコネクタからの第２のコネクタの抜脱を確実に防止することができる。
上記案内板は、上記上案内板に対向する下案内板を含み、上案内板と下案内板との間に、対応する弾性アームのスライドを案内する案内溝が区画されている場合がある（請求項６）。この場合、スライダをスムーズに案内することができる。
【００１２】
上記上案内板と上記取付面との間に、対応する弾性アームのスライドを案内する案内溝が区画されている場合がある（請求項７）。この場合、第１のハウジングの高さをより低くして小型化を達成することができる。
上記第１のハウジングの各側壁に、スライダをロック位置およびロック解除にそれぞれ規制するための突起からなる第１および第２のストッパが設けられている場合がある（請求項８）。この場合、スライダを第１および第２の位置に、確実に規制することができる。
【００１３】
上記第１および第２のストッパは、上記スライド方向と直交する方向に関して互いに位置をずらして配置されている場合がある（請求項９）。この場合、第１のハウジングを合成樹脂で射出成形する場合に、その成形型において、第１のストッパおよび第２のストッパの同側の面を、例えばスライド方向である同方向に型抜きして成形することも可能となり、型設計の自由度が高くなる。
【００１４】
各弾性アームは、第１および第２の係合突起を含み、上記第１の係合突起は、スライダのスライドに伴って、上記第２のストッパに係合することよりスライダを係合解除位置に規制し、上記第２の係合突起は、スライダのスライドに伴って、上記第１のストッパに係合することによりスライダを係合位置に規制する場合がある（請求項１０）。この場合、各係合突起と対応するストッパの係合により、スライダの位置規制を確実に行うことができる。
【００１５】
上記第１の係合突起は上記ロック部を兼用している場合がある（請求項１１）。この場合、構造の簡素化により、小型化に寄与することができる。
上記ロック部は、第２のハウジングの上記突起の、コネクタ抜脱方向に配置されている場合がある（請求項１２）。これにより、ロック部を第２のハウジングの上記突起に係止させて、実質的なロックを達成することができる。
【００１６】
上記スライダは、上記取付面とは平行に延びるロック部としての規制板を有し、この規制板は、スライダのロック位置への変位に伴って、第２のハウジングの上記所定部としての上面に係合することにより、挿入凹部からの第２のハウジングの抜脱を防止する場合がある（請求項１３）。この場合、規制板によって、第２のハウジングの抜脱が防止されるので、より確実なロックを達成することができる。
【発明を実施するための最良の形態】
【００１７】
本発明の好ましい態様を添付図面を参照しつつ説明する。
図１は、本発明の一実施の形態に係る電気コネクタの概略分解斜視図である。図１を参照して、電気コネクタ１は、回路基板２の取付面２ａ上に固定された第１のコネクタ３と、上記取付面２ａとは平行な方向Ｘ１に延びる電線４の端部４ａに設けられた第２のコネクタ５とを備えている。また、電気コネクタ１は、両コネクタ３，５の装着状態をロックするためのロック機構６を備えており、そのロック機構６は、第１のコネクタ３に設けられたスライダ７を含んでいる。
【００１８】
第１のコネクタ３は、上記取付面２ａとは直交するコネクタ抜脱方向Ｙ１に開放する挿入凹部８を区画する絶縁性の第１のハウジング９と、この第１のハウジング９によって上記挿入凹部８に保持された複数の第１のコンタクト１０とを備えている。第１のハウジング９は平面視で略矩形をなしている。
第１のハウジング９は、上記取付面２ａに沿って固定されるベース１１と、このベース１１上に立設された後壁１２および左右一対の側壁１３とを有している。これらベース１１、後壁１２および左右一対の側壁１３によって、上記挿入凹部８が区画されている。
【００１９】
上記第１のコンタクト１０は、側壁１３に平行な一対の平板状のコンタクトであり、各第１のコンタクト１０は、ベース１１および後壁１２によって保持された状態で、その一部が、ベース１１および後壁１２に形成された固定孔を通して、挿入凹部８内に露出している。図示していないが、第１のコンタクト１０は、回路基板２の取付面２ａの導電部に半田付けにより固定されたリードを備えている。
【００２０】
スライダ７は、第１のハウジング９の後壁１２に後方から対向する本体部１４と、本体部１４の両端から前方へ延びる一対の弾性アーム１５とを備えている。各弾性アーム１５は、第１のハウジング９の対応する側壁１３に形成された案内溝１６に、取付面２ａに平行な第１および第２のスライド方向Ｚ１，Ｚ２にスライド可能に収容されている。第１のスライド方向Ｚ１は、第１のハウジング９に関する前方に相当し、第２のスライド方向Ｚ２は、第１のハウジング９に関する後方に相当する。
【００２１】
また、第１のコネクタ３は、第１のハウジング９に固定された金属製の例えば一対の補強部材５０を備えており、各補強部材５０は、回路基板２の取付面２ａ上の導電部（図示せず）に、半田付けにより固定されている。これにより、第１のコネクタ３が、回路基板２の取付面２ａ上に強固に固定されている。
上記第２のコネクタは、上記コネクタ抜脱方向Ｙ１とは反対方向であるコネクタ挿入方向Ｙ２に沿って挿入凹部８に挿入されると共に、コネクタ抜脱方向Ｙ１に沿って挿入凹部８から抜脱される絶縁性の第２のハウジング１７を有している。第２のハウジング１７は前後に延びる端子収容孔１８を複数左右に並べて設けている。
【００２２】
また、第２のハウジング１７には、コネクタ抜脱方向Ｙ１に沿って延びる被案内リブ５１が設けられている。一方、第１のハウジング９の後壁１２には、挿入凹部８およびコネクタ抜脱方向Ｙ１に開放するとともに、コネクタ抜脱方向Ｙ１に沿って延びる案内溝５２が形成されている。被案内リブ５１が案内溝５２に嵌合されることにより、挿入凹部８への第２のハウジング１７の挿入が案内されるようになっている。被案内リブ５１と案内溝５２との間には、僅かな摩擦力が働くようにされている。
【００２３】
また、第２のハウジング１７は、両側方に突出する第１の凸部５３と、各第１の凸部５３からさらに側方に突出する第２の凸部５４と、各第２の凸部５４からさらに側方に突出する突起５５とを備えている。突起５５は、上面からなる抜止め係合面５５ａと、第１のスライド方向Ｚ１に向かって開いた後面からなる傾斜状カム面５５ｂと、第２のスライド方向Ｚ２に向かって開いた前面からなる面５５ｃとを有している。
【００２４】
第２のハウジング１７が挿入凹部８内に挿入された状態で、上記突起５５が、対応する案内溝１６内に進出するようにされている。一方、第１のコネクタ３のスライダ７は、案内溝１６によって案内されて、第１のハウジング１７の前方位置であるロック位置（図８参照）および後方位置であるロック解除位置（図７参照）に変位可能である。
スライダ７は、ロック位置へのスライドに伴って、案内溝１６内に既に進出している突起５５に対して、後述するロック部としての第１の係合突起３８（図４〜６参照）を係止させることにより、挿入凹部８からコネクタ抜脱方向Ｙ１への、第２のハウジング１７の抜脱を規制する。
【００２５】
一方、ロック解除位置に変位したときのスライダ７は、上記突起５５に対する上記第１の係合突起３８の係止を解除することにより、挿入凹部８からコネクタ抜脱方向Ｙ１への第２のハウジング１７の抜脱を許容する。
図２を参照して、第２のハウジング１７の端子収容孔１８に、電線４の端部４ａに圧着された端子１９が収容されている。
【００２６】
端子１９は、電線４の被覆部２０に圧着されたインシュレーションバレル２１と、電線４の芯線２２に圧着されるワイヤーバレル２３と、四角環状をなして端子収容孔１８の内面に嵌まり合うボックス部２４と、対応する第１のコンタクト１０を両側から挟持するための一対のコンタクト片２５を含む第２のコンタクト２６とを備えている。
また、端子１９は、第２のハウジング１７の対応する係合孔２７に係合して、端子収容孔１８からの端子１９の抜け止めの機能を果たすランス２８を備えている。係合孔２７は第２のハウジング１７の上面１７ａに開放しており、ランス２８の係合状態が上方から視認できるようにされている。また、端子収容孔１８の一端は、スリット２９を通して、第２のハウジング１７の端面１７ｂおよび下面１７ｃに開放されている。
【００２７】
図３を参照して、第２のコンタクト２６の一対のコンタクト片２５の対向面に、相対向して突出する突起からなる接触部３０が設けられている。一対のコンタクト片２５の接触部３０間の間隙Ｓ１に、板状の第１のコンタクト１０が導入されて、この第１のコンタクト１０が一対のコンタクト片２５により抱き合わせ状に弾力的に保持される。これにより、第１および第２のコンタクト１０，２６間に接触圧力が確保される。
【００２８】
第１のコネクタの分解斜視図である図４、第１のコネクタの分解側面図である図５、および図４とは違う角度から見た第１のコネクタの分解斜視図である図６を参照する。
各側壁１３は、側壁本体３１と、側壁本体３１の外側面から外側方に突出形成された上案内板３２および下案内板３３とを備えている。
上案内板３２および下案内板３３は、取付面２ａとは平行であり、第１および第２のスライド方向Ｚ１，Ｚ２に沿って延びている。これら上案内板３２および下案内板３３の間に、第１および第２のスライド方向Ｚ１，Ｚ２に沿って延びる上記案内溝１６が区画されている。また、案内溝１６の底１６ａは、側壁本体３１の外側面によって構成されている。
【００２９】
各案内溝１６は、第１のハウジング９の前方、後方および対応する外側方に開放している。各案内溝１６には、第１のハウジング９の後方から、第１のスライド方向Ｚ１に沿って、対応する弾性アーム１６が導入されるようになっている。
上案内板３２には切欠き部３４が形成されている。第２のコネクタ５を第１のコネクタ３の挿入凹部８内にコネクタ挿入方向Ｙ２に沿って挿入するときに、上記第２の凸部５４が切欠き部３４を通して、側壁本体３１の凹溝３５に嵌合されるとともに、上記突起５５が切欠き部３４を通して案内溝１６内に導入されるようになっている。凹溝３５は、コネクタ抜脱方向Ｙ１に開放されている。
【００３０】
案内溝１６の底１６ａには、凹溝３５の後方（第２のスライド方向Ｚ２）に、第１のストッパ３６が形成され、この第１のストッパ３６の後方（第２のスライド方向Ｚ２）に第２のストッパ３７が形成されている。各ストッパ３６，３７は、案内溝１６内に突出する突起からなる。案内溝１６の底１６ａにおいて、第２のストッパ３７の下方に、傾斜状係合面４４が形成されている。
【００３１】
第１のストッパ３６および第２のストッパ３７は、取付面２ａと直交する方向に関して、すなわちコネクタ抜脱方向Ｙ１（またはコネクタ挿入方向Ｙ２）に関して、互いに位置をずらされている（オフセットされている）。本実施の形態では、第１のストッパ３６が相対的に下位に配置され、第２のストッパ３７が相対的に上位に配置されている。
第１のストッパ３６の後面は、第１のハウジング９の後方（第２のスライド方向Ｚ２）にいくにしたがって高さが低くなるように傾斜した傾斜状カム面３６ａに形成されている。すなわち、傾斜状カム面３６ａは、第１のハウジング９の後方（第２のスライド方向Ｚ２）に向かって開いていて第１のハウジング９の後方から視認可能である。また、第１のストッパ３６の前面３６ｂは、突起５５の面５５ｃと係合していてもよいし、していなくてもよい。
【００３２】
また、第２のストッパ３７の後面は、第１のハウジング９の後方（第２のスライド方向Ｚ２）にいくにしたがって高さが低くなる傾斜状係合面３７ａに形成されている。すなわち、傾斜状係合面３７ａは、第１のハウジング９の後方（第２のスライド方向Ｚ２）に向かって開いていて第１のハウジング９の後方から視認可能である。また、第２のストッパ３７の前面は、第１のスライド方向Ｚ１に向かうにしたがって高さが高くなる傾斜状係合面３７ｂに形成されている。
【００３３】
このように、第１および第２のストッパ３６，３７が、コネクタ抜脱方向Ｙ１（スライド方向Ｚ２と直交する方向に関して、互いに位置をずらされており、且つ第１および第２のストッパ３６，３７の後面が、ともに同方向（第２スライド方向Ｚ２）に向かって開いた傾斜面状カム面３６ａおよび傾斜状係合面３７ａに形成されている。したがって、第１のハウジング９を合成樹脂にて成形する場合、第１および第２のストッパ３６，３７の後面を、同方向にスライドする成形型で成形することが可能となり、製造が容易になる。
【００３４】
一方、スライダ７の各弾性アーム１５の内側面１５ａには、ロック部としての第１の係合突起３８と、第２の係合突起３９と、第３の係合突起４０と、第４の係合突起４１と、第５の係合突起４３とが形成されている。
第１の係合突起３８および第２の係合突起３９は、取付面２ａと直交する方向に関して、すなわちコネクタ抜脱方向Ｙ１（またはコネクタ挿入方向Ｙ２）に関して、互いに位置をずらされている（オフセットされている）。本実施の形態では、第１の係合突起３８が相対的に上位に配置され、第２の係合突起３９が相対的に下位に配置されている。また、第３の係合突起４０が相対的に上位に配置され、第４の係合突起４１および第５の係合突起４３は相対的に下位に配置されている。
【００３５】
ロック部としての第１の係合突起３８の後面は、第２のスライド方向Ｚ２に向かうにしたがって高さが高くなるように傾斜した傾斜状係合面３８ａに形成されている。また、第２の係合突起３９の前面は、第１のスライド方向Ｚ１に向かうにしたがって高さが低くなる傾斜状係合面３９ａに形成されている。第１の係合突起３８の前面は、第１スライド方向に向かうにしたがって高さが低くなる傾斜状カム面３８ｂに形成されている。
【００３６】
また、第２の係合突起３９と第４の係合突起４１との間に、スライダ７が図８に示すロック位置にあるときに、突起からなる第１のストッパ３６を係合させる係合凹部４２が形成されている。第３の係合突起４０は、スライダ７が図８に示すロック位置にあるときに、第２のストッパ３７の傾斜状係合面３７ａに係合する傾斜面を有している。
第４の係合突起４１は、第１の係合突起３８の下方（コネクタ挿入方向Ｙ２）に連続するように形成されている。第４の係合突起４１の前面は、第１の係合突起３８の前面と連続して形成され、且つ前方（第１のスライド方向Ｚ１）に向かうしたがって高さが低くなる傾斜状カム面４１ａに形成されている。また、第４の係合突起４１の後面は、後方（第２のスライド方向Ｚ２）に向かうにしたがって高さが低くなる傾斜状カム面４１ｂに形成されている。
【００３７】
次いで、概略図である図９を参照して、スライダ７のスライド操作による、両コネクタ３，５の装着状態のロックおよびロック解除について説明する。
図９（ａ）および（ｂ）はスライダ７の上段の突起３８，４０と案内溝１６の上段のストッパ３８等との係合／係合解除動作を示している。図９（ｃ）〜（ｆ）はスライダ７の下段の突起３９，４１と案内溝１６の下段のストッパ３６等との係合／係合解除動作を示している。
【００３８】
図９（ａ）および（ｃ）は、スライダ７がロック解除位置にある状態を示している。このとき、ロック解除位置にあるスライダ７が、第１の係合突起３８が第２のコネクタ５の上記突起５５の上方位置から退避しており、第１の係合突起３８と上記突起５５の抜止め係合面５５ａとの係合が解除されている。その結果、挿入凹部８からコネクタ挿入方向Ｙ２への、第２のハウジング１７の抜脱が許容されている。
【００３９】
また、図９（ａ）に示すように、第１の係合突起３８の後面の傾斜状係合面３８ａが第２のストッパ３７の前面の傾斜状係合面３７ｂに係合することにより、スライダ７の第２のスライド方向Ｚ２への移動が規制され、スライダ７がロック解除位置に規制されている。
スライダ７が、図７に示すロック解除位置から図８に示すロック位置へ、第１のスライド方向Ｚ１に沿ってスライドされるストロークの途中において、図９（ｄ）に示すように、第４の係合突起４１の傾斜状カム面４１ａが、第１のストッパ３６の傾斜面３６ａに係合することにより、各弾性アーム１５が、外側方へ一旦、押し拡げられた後、第４の係合突起４１が第１のストッパ３６を乗り越える。
【００４０】
その結果、スライダ７が図９（ｅ）に示すように、ロック位置に達し、第１のストッパ３６が係合凹部４２に係合される。すなわち、第４の係合突起４１の傾斜状カム面４１ｂが、第１のストッパ３６の傾斜状カム面３６ｂと係合するとともに、第２の係合突起３９の前面の傾斜状係合面３９ａが第４の係合突起４１の傾斜状カム面４１ａと係合する。また、弾性アーム１５の基端部の下段の第５の係合突起４３が、案内溝１６の傾斜状係合面４４に係合し、且つ、図９（ｂ）に示すように、弾性アーム１５の基端部の上段の第３の係合突起４０が、第２のストッパ３７の傾斜状係合面３７ａに係合し、これにより、スライダ７がロック位置に規制される。
【００４１】
一方、ロック位置では、図９（ｂ）に示すように、第２のコネクタ５の突起５５の上面としての抜止め係合面５５ａに第１の係合突起３８が係合される。その結果、第１の係合突起３８は、挿入凹部８からコネクタ抜脱方向Ｙ１への、第２のハウジング１７の抜脱を規制するロック部として機能する。
また、第３の係合突起４０が第２のストッパ３７の後面の傾斜状カム面３７ａに係合する。これにより、スライダ７の第１のスライド方向Ｚ１への移動が規制され、スライダ７がロック位置に規制される。
【００４２】
スライダ７が、ロック位置からロック解除位置へ第２のスライド方向Ｚ２に沿ってスライドされるストロークの途中において、図９（ｆ）に示すように、第１のストッパ３６の前面３６ｂに係合している第４の係合突起４１の傾斜状カム面４１ｂの働きで、各弾性アーム１５が、外側方へ一旦、押し拡げられた後、第４の係合突起４１が第１のストッパ３６を乗り越えることになる。
【００４３】
本実施の形態によれば、いわゆる縦嵌合であるが、フリクションロックではないので、回路基板２の取付面２ａへの負荷が小さい。また、強ロックを採用しているので、衝撃等を受けてもロックが外れることがなく、信頼性が高い。また、その強ロックのためのロック部としての各突起が取付面２ａと平行な方向にスライドするスライダ７に設けられているので、電気コネクタ１の高さを低くすることができる。
【００４４】
また、スライダ７の弾性アーム１５が第２のハウジング１７の側壁１３に配置されるので、第１のコネクタ３の高さを低くすることができる。
また、第１のハウジング１７の各側壁１３に、対応する弾性アーム１５のスライドを案内する上案内板３２および下案内板３３が設けられており、これら案内板３２，３３間の案内溝１６によってスライダ７を案内するので、スライダ７をスムーズにスライドさせることができる。
【００４５】
また、上案内板３２が、弾性アーム１５を介して第２のコネクタ５の抜脱荷重を受けるので、第２のコネクタ５の抜脱を確実に防止することができる。
また、第１のハウジング１７の各側壁１３に、スライダ７をロック位置およびロック解除にそれぞれ規制するための突起からなる第１のストッパ３６および第２のストッパ３７が設けられているので、スライダ７を第１および第２の位置に確実に規制することができる。
【００４６】
特に、第１のストッパ３６および第２のストッパ３７は、スライド方向Ｚ１，Ｚ２と直交する方向に関して互いに位置をずらして配置されているので、下記の利点がある。すなわち、第１のハウジング１７を合成樹脂で射出成形する場合に、その成形型において、第１のストッパ３６の後面の傾斜面３６ａおよび第２のストッパ３７の後面の傾斜状カム面３７ａを、第２のスライド方向Ｚ２である同方向に型抜きして成形することが可能となる。また、成形型において、第１のストッ３６の前面３６ｂおよび第２のストッパ３７の前面の傾斜状係合面３７ｂを、第１のスライド方向Ｚ１である同方向に型抜きして成形することが可能である。したがって、型設計の自由度が高くなる。
【００４７】
また、ロック解除のときに互いに係合する傾斜状係合面３７ｂ，３８ａの傾斜方向を、第２のスライド方向Ｚ２へのスライダ７の移動を阻止できる方向に傾斜させることができ、スライダ７の確実な抜け止めを達成することが可能となる。
また、各弾性アーム１５の第１の係合突起３８が第２のストッパ３７に係合することよりスライダ７を係合解除位置に規制し、各弾性アーム１５の第２の係合突起３９が第１のストッパ３６に係合することによりスライダ７を係合位置に規制するので、スライダ７の位置規制を確実に行うことができる。
【００４８】
また、ロック部としての第１の係合突起３８が、第２のハウジング１７の所定部としての上記突起５５の、コネクタ抜脱方向Ｙ１に配置されているので、実質的なロックを達成することができる。
また、弾性アーム１５の第１の係合突起３８が、第２のコネクタ５の第２のハウジング１７の所定部としての突起５５に係合して第２のハウジング１７の抜脱を防止するロック部を兼用しているので、構造の簡素化により、電気コネクタ１の小型化に寄与することができる。ただし、第１の係合突起３８とは別に、弾性アーム１５に、ロック部専用の突起を設けるようにしてもよい。
【００４９】
次いで、図１０および図１１は本発明の別の実施の形態を示している。本実施の形態の特徴とするところは、スライダ７Ａの本体部１４の上面１４ａから弾性アーム１５と平行な方向（取付面２ａと平行な方向に相当）に延びる例えば矩形をなす、ロック部としての規制板４５が設けられていることである。
規制板４５は、スライダ７Ａが図１０のロック解除位置から図１１のロック位置へ変位するに伴って、第２のコネクタ５の第２のハウジング１７の所定部としての上面１７ａに係合することにより、挿入凹部８からコネクタ抜脱方向Ｙ１への第２のハウジング１７の抜脱を防止する。
【００５０】
本実施の形態によれば、規制板４５によっても、第２のハウジング１７の抜脱が防止されるので、より確実なロックを達成することができる。ただし、規制板４５のみで、ロックを達成することも可能である。
なお、本発明は上記各実施の形態に限定されるものではなく、例えば、上記各実施の形態では、図１２（ａ）に示すように、上案内板３２と下案内板３３との間に形成された案内溝１６によって、弾性アーム１５を案内していたが、図１２（ｂ）に示すように、した案内板３３を廃止し、上案内板３２と回路基板２との間に形成される案内溝１６によって、弾性アーム１５を案内するようにしてもよい。
【００５１】
また、図１２（ｃ）に示すように、上案内板３２を廃止したり、図１２（ｄ）に示すように、上案内板３２および下案内板３３の双方を廃止したりすることもできる。
また、案内溝１６の底に形成される第１のストッパ３６のレイアウトについては、案内溝１６の下段に配置されるタイプＩと、案内溝１６の中段に配置されるタイプIIと、案内
溝１６の上段に配置されるタイプIIIと、案内溝１６の上段および下段に一対が配置されるタイプIVと、案内溝１６の上段から下段の全幅にわたって配置されるタイプＶとを例示することができる。
【００５２】
また、案内溝１６の底に形成される第２のストッパ３７のレイアウトについては、案内溝１６の上段に配置されるタイプａと、案内溝１６の中段に配置されるタイプｂと、案内溝１６の上段および下段に一対が配置されるタイプｃと、案内溝１６の下段に配置されるタイプｄと、案内溝１６の上段から下段の全幅にわたって配置されるタイプｅとを例示することができる。
【００５３】
そして、第１のストッパ３６が第１のスライド方向Ｚ１側に配置され、第２のストッパ３７が第２のスライド方向Ｚ２側に配置される条件にて、タイプＩ〜Ｖとタイプａ〜ｅを
組み合わせて、２５通りで実施することができる。
さらに、この２５通りを、上記の図１２（ａ）〜（ｄ）の４通りの実施形態と組み合わせて、１００通りの実施形態での実施が可能である。
【００５４】
図１２（ｅ）の組み合わせの中で、第１および第２のスライド方向Ｚ１，Ｚ２からみて第１および第２のストッパ３６，３７が重なっている、Ｉｃ、Ｉｄ、IIｂ、IIIａ、IIIｃ、IVａ、IVｃ、IVｄの組み合わせの例については、第１および第２のストッパを型成形するときに、サイド（側方）へ型抜きする必要がある。
【００５５】
また、上案内板３２のない図１２（ｃ）、（ｄ）と組み合わされる場合には、弾性アーム１５を、第１および第２のストッパ３６，３７のうち上段となるほうのストッパによって、弾性アーム１５のスライドを案内することになる。
その他、本発明の特許請求の範囲で種々の変更を施すことができる。
【図面の簡単な説明】
【００５６】
【図１】本発明の一実施の形態に係る電気コネクタの分解斜視図である。
【図２】第２のコネクタの断面図である。
【図３】第２のコネクタの端子の概略図である。
【図４】第１のコネクタの分解斜視図である。
【図５】第１のコネクタの分解側面図である。
【図６】第１のコネクタの分解斜視図である。
【図７】ロック解除状態の電気コネクタの斜視図である。
【図８】ロック状態の電気コネクタの斜視図である。
【図９】（ａ）〜（ｆ）はロックおよびロック解除の工程を示す概略図である。
【図１０】本発明の別の実施の形態の電気コネクタのロック解除状態の斜視図である。
【図１１】図１０の電気コネクタのロック状態の斜視図である。
【図１２】（ａ）〜（ｄ）はそれぞれ本発明の別の実施の形態の電気コネクタのハウジングの側面図であり、（ｆ）は第１および第２のストッパの組み合わせ態様を示す模式的マトリックス図である。
【符号の説明】
【００５７】
１  電気コネクタ
２  回路基板
２ａ  取付面
３  第１のコネクタ
４  電線
４ａ  端部
５  第２のコネクタ
６  ロック機構
７，７Ａ  スライダ
８  挿入凹部
９  第１のハウジング
１０  第１のコネタクト
１３  側壁
１４  本体部
１４ａ  上面
１５  弾性アーム
１６  案内溝
１７  第２のハウジング
１７ａ  上面
２６  第２のコンタクト
３１  側壁本体
３２  上案内板
３３  下案内板
３４  切欠き部
３５  凹溝
３６  第１のストッパ
３６ａ  傾斜状カム面
３６ｂ  前面
３７  第２のストッパ
３７ａ，３７ｂ  傾斜状係合面
３８  第１の係合突起
３８ａ  傾斜状係合面
３８ｂ  傾斜状カム面
３９  第２の係合突起
３９ａ  傾斜状係合面
４０  第３の係合突起
４１  第４の係合突起
４２  傾斜状カム面
４３  第５の係合突起
４４  傾斜状係合面
４５  規制板
５５  突起
５５ａ  抜止め係合面
５５ｂ  傾斜状カム面
Ｙ１  コネクタ抜脱方向
Ｙ２  コネクタ挿入方向
Ｚ１  第１のスライド方向
Ｚ２  第２のスライド方向
【図１】
2008192422.tif 000003
【図２】
2008192422.tif 000004
【図３】
2008192422.tif 000005
【図４】
2008192422.tif 000006
【図５】
2008192422.tif 000007
【図６】
2008192422.tif 000008
【図７】
2008192422.tif 000009
【図８】
2008192422.tif 000010
【図９】
2008192422.tif 000011
【図１０】
2008192422.tif 000012
【図１１】
2008192422.tif 000013
【図１２】
2008192422.tif 000014